【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
第１の接続を介して第１のユーティリティ・メータ（１０２，２２２，２２４，２２６，２２８）及び第２のユーティリティ・メータ（１０２，２２２，２２４，２２６，２２８）に通信接続された演算装置（２１０，４００，４０２，４１４）であって、前記第１のユーティリティ・メータ（１０２，２２２，２２４，２２６，２２８）と前記第２のユーティリティ・メータ（１０２，２２２，２２４，２２６，２２８）とが前記演算装置（２１０，４００，４０２，４１４）から独立した第２の接続を介して通信接続している前記演算装置（２１０，４００，４０２，４１４）を含んでいるシステム（２００，２０７，４００，４０２）であって、
前記演算装置（２１０，４００，４０２，４１４）は、次の行為、すなわち、
（イ）  前記第１のユーティリティ・メータ（１０２，２２２，２２４，２２６，２２８）及び前記第２のユーティリティ・メータ（１０２，２２２，２２４，２２６，２２８）についてのフィーチャー・ライセンス・データ（４３４）を取得する行為、
（ロ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、及び
（ハ）  前記選択されたフィーチャー・ライセンス（２３０）を前記第１のユーティリティ・メータ（１０２，２２２，２２４，２２６，２２８）と前記第２のユーティリティ・メータ（１０２，２２２，２２４，２２６，２２８）との間で直接移転させることを開始する行為
を遂行することによって、前記第１のユーティリティ・メータ（１０２，２２２，２２４，２２６，２２８）と前記第２のユーティリティ・メータ（１０２，２２２，２２４，２２６，２２８）との間で前記第２の接続を介して直接フィーチャー・ライセンス（２３０）の移転を管理するように構成されていること、
を特徴とするシステム（２００，２０７，４００，４０２）。
【請求項２】
更に、前記演算装置（２１０，４００，４０２，４１４）に動作可能に接続されたユーザー・インターフェース（２１２，４１６，４２０，４３０，５００，６００）を有している請求項１記載のシステム。
【請求項３】
前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る前記行為が更に、
前記第１のユーティリティ・メータ（１０２，２２２，２２４，２２６，２２８）にインストールされている第１の組のフィーチャー・ライセンス（２３０）を前記ユーザー・インターフェース（２１２，４１６，４２０，４３０，５００，６００）上に表示する行為、
前記第２のユーティリティ・メータ（１０２，２２２，２２４，２２６，２２８）にインストールされている第２の組のフィーチャー・ライセンス（２３０）を前記ユーザー・インターフェース（２１２，４１６，４２０，４３０，５００，６００）上に表示する行為、及び
前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）を選択するようにユーザーに催促する行為、
を含んでいる、請求項２記載のシステム。
【請求項４】
前記ユーザー・インターフェース（２１２，４１６，４２０，４３０，５００，６００）は更に、前記第１のユーティリティ・メータ（１０２，２２２，２２４，２２６，２２８）について有効にされる任意のフィーチャー・ライセンス（２３０）及び前記第２のユーティリティ・メータ（１０２，２２２，２２４，２２６，２２８）について有効にされる任意のフィーチャー・ライセンス（２３０）を比較して表示するように構成されている、請求項２または３記載のシステム。
【請求項５】
前記フィーチャー・ライセンス（２３０）を前記第１のユーティリティ・メータ（１０２，２２２，２２４，２２６，２２８）から前記第２のユーティリティ・メータ（１０２，２２２，２２４，２２６，２２８）へ移転させる前記行為が、更に、
前記選択されたフィーチャー・ライセンス（２３０）を前記第１のユーティリティ・メータ（１０２，２２２，２２４，２２６，２２８）について無効にする行為、及び
前記選択されたフィーチャー・ライセンス（２３０）を前記第２のユーティリティ・メータ（１０２，２２２，２２４，２２６，２２８）について有効にする行為
を含んでいる、請求項１乃至４のいずれかに記載のシステム。
【請求項６】
前記演算装置（２１０，４００，４０２，４１４）は更に、前記第１のユーティリティ・メータ（１０２，２２２，２２４，２２６，２２８）と前記第２のユーティリティ・メータ（１０２，２２２，２２４，２２６，２２８）との間で複数のフィーチャー・ライセンス（２３０）を移転させるように構成されている、請求項１乃至５のいずれかに記載のシステム。
【請求項７】
前記演算装置（２１０，４００，４０２，４１４）が前記第１のユーティリティ・メータ（１０２，２２２，２２４，２２６，２２８）に含まれている、請求項１乃至６のいずれかに記載のシステム。
【請求項８】
コンピュータ読取り可能な媒体（１０６，１１４，２１０，２２０，４００，４０２，４１２，４２２）に格納されたプログラムであって、第１の接続を介して第１のユーティリティ・メータ（１０２，２２２，２２４，２２６，２２８）及び第２のユーティリティ・メータ（１０２，２２２，２２４，２２６，２２８）に通信接続された少なくとも１つの演算装置（２１０，４００，４０２，４１４）であって、前記第１のユーティリティ・メータ（１０２，２２２，２２４，２２６，２２８）と前記第２のユーティリティ・メータ（１０２，２２２，２２４，２２６，２２８）とが前記演算装置（２１０，４００，４０２，４１４）から独立した第２の接続を介して通信接続している前記演算装置（２１０，４００，４０２，４１４）によって実行されたとき、次の行為、すなわち、
（イ）  前記第１のユーティリティ・メータ（１０２，２２２，２２４，２２６，２２８）及び前記第２のユーティリティ・メータ（１０２，２２２，２２４，２２６，２２８）についてのフィーチャー・ライセンス・データ（４３４）を取得する行為、
（ロ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、
（ハ）  前記選択されたフィーチャー・ライセンス（２３０）を前記第１のユーティリティ・メータ（１０２，２２２，２２４，２２６，２２８）と前記第２のユーティリティ・メータ（１０２，２２２，２２４，２２６，２２８）との間で直接移転させることを開始する行為
を遂行するプログラム。
【請求項９】
前記演算装置（２１０，４００，４０２，４１４）が動作可能に接続されたユーザー・インターフェース（２１２，４１６，４２０，４３０，５００，６００）を生成するように構成される、請求項８記載のプログラム。
【請求項１０】
第１のユーティリティ・メータ（１０２，２２２，２２４，２２６，２２８）及び第２のユーティリティ・メータ（１０２，２２２，２２４，２２６，２２８）に通信接続されたネットワーク（２２０）と、
第１の接続を介してネットワーク（２２０）に通信接続された演算装置（２１０，４００，４０２，４１４）であって、第１のユーティリティ・メータ（１０２，２２２，２２４，２２６，２２８）と第２のユーティリティ・メータ（１０２，２２２，２２４，２２６，２２８）とが前記演算装置（２１０，４００，４０２，４１４）から独立した第２の接続を介して前記ネットワーク（２２０）と通信接続している次の行為、すなわち、
（イ）  前記第１のユーティリティ・メータ（１０２，２２２，２２４，２２６，２２８）にインストールされている第１の組のフィーチャー・ライセンス（２３０）を決定する行為、
（ロ）  前記第２のユーティリティ・メータ（１０２，２２２，２２４，２２６，２２８）にインストールされている第２の組のフィーチャー・ライセンス（２３０）を決定する行為、
（ハ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、
（ニ）  前記選択されたフィーチャー・ライセンス（２３０）を前記第１のユーティリティ・メータ（１０２，２２２，２２４，２２６，２２８）と前記第２のユーティリティ・メータ（１０２，２２２，２２４，２２６，２２８）との間で直接移転させることを開始する行為
を遂行することによって、前記第１のユーティリティ・メータ（１０２，２２２，２２４，２２６，２２８）と前記第２のユーティリティ・メータ（１０２，２２２，２２４，２２６，２２８）との間でフィーチャー・ライセンス（２３０）を前記第２の接続を介して直接移転させるように構成されている当該演算装置（２１０，４００，４０２，４１４）と、
を含んでいるシステム（２００，２０７，４００，４０２）。